(57)【要約】【課題】  場の雰囲気を盛り上げるための連続演奏機能を備えた音楽再生装置を提供する。【解決手段】  利用者に関する条件を受け付ける条件受付手段５０と、その条件受付手段５０により受け付けられた条件に基づいて前記複数の演奏曲のうちから所定数の演奏曲を抽出する演奏曲抽出手段６０と、その演奏曲抽出手段６０により抽出された演奏曲それぞれの一部区間を連続して演奏する連続演奏手段６８とを、備えていることから、利用者の嗜好に適う演奏曲それぞれの一部区間を連続演奏することができる。【選択図】  図４
2005084336.tif 000002
【特許請求の範囲】
【請求項１】
複数の演奏曲のうちから選択された所望の演奏曲を出力させる音楽再生装置であって、
利用者に関する条件を受け付ける条件受付手段と、
該条件受付手段により受け付けられた条件に基づいて前記複数の演奏曲のうちから所定数の演奏曲を抽出する演奏曲抽出手段と、
該演奏曲抽出手段により抽出された演奏曲それぞれの一部区間を連続して演奏する連続演奏手段と
を、備えたものであることを特徴とする音楽再生装置。
【請求項２】
前記連続演奏手段は、前記演奏曲抽出手段により抽出された演奏曲それぞれの１番を連続して演奏するものである請求項１の音楽再生装置。
【請求項３】
前記条件は、利用者の年齢を含むものである請求項１又は２の音楽再生装置。
【請求項４】
前記条件受付手段は、利用者の年齢に対応する複数の年代区分のうち何れかを選択させるものであり、前記演奏曲抽出手段は、該条件受付手段により選択された年代区分に基づいて前記複数の演奏曲のうちから所定数の演奏曲を抽出するものである請求項３の音楽再生装置。
【請求項５】
前記条件は、演奏曲のジャンルを含むものである請求項１から４の何れかの音楽再生装置。
【請求項６】
前記連続演奏手段は、選択された演奏曲の演奏をスキップするスキップ手段を含むものである請求項１から５の何れかの音楽再生装置。
【請求項７】
前記連続演奏手段は、選択された演奏曲を演奏順に割り込ませる割込選曲手段を含むものである請求項１から６の何れかの音楽再生装置。
【請求項８】
前記連続演奏手段は、選択された演奏曲の全区間を演奏する全区間演奏手段を含むものである請求項１から７の何れかの音楽再生装置。
【請求項９】
前記スキップ手段によりスキップされた演奏曲の情報を記憶するスキップ情報記憶手段を含むものである請求項６の音楽再生装置。
【請求項１０】
前記演奏曲抽出手段は、前記スキップ情報記憶手段により記憶された情報に基づいて前記複数の演奏曲のうちから所定数の演奏曲を抽出するものである請求項９の音楽再生装置。
【発明の詳細な説明】
【技術分野】
【０００１】
本発明は、例えば、カラオケボックスで使用されるカラオケ装置等の音楽再生装置に関し、特に、場の雰囲気を盛り上げるための連続演奏機能に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報を含む映像をその出力に同期して画面に表示させることで、所望の歌のカラオケ演奏を楽しむことができる。
【０００３】
上記カラオケ装置により演奏される演奏曲の一態様として、所定のアーティストのヒット曲を混成したメドレー曲が知られている。一般的にこのメドレー曲は、複数の歌を包含する一演奏曲として編集されるものであり、その編集には労力を要することから、比較的有名なアーティストにしか用意されないものであった。そこで、通常の演奏曲の曲情報に基づいてメドレー曲を自動編集する技術が提案されている。例えば、特許文献１に記載されたカラオケ装置がそれである。このカラオケ装置によれば、既存の演奏曲のうちから利用者が選択した演奏曲の一部区間を繋いでメドレー曲を自動編集することができる。
【０００４】
【特許文献１】特開平１１−３０８０号公報
【０００５】
しかし、前記従来の技術によるメドレー演奏は、利用者が選択した演奏曲を連続演奏するものに過ぎず、通常のカラオケ演奏と何ら変わらないものであることから、ほとんど実用されていないのが現状である。
【０００６】
本発明者は、カラオケ演奏の可能性を模索し続けた結果、場の雰囲気を盛り上げるために前記連続演奏機能を応用することを考えた。すなわち、従来のカラオケ演奏では、その場にいながら内気や遠慮からカラオケ演奏に参加しない利用者の存在や、次の演奏曲が決まっていないことによる空白時間が場の雰囲気を悪化させがちであるという不具合があった。そこで、利用者に歌いたい気持ちを起こさせる演奏曲を連続演奏することで、斯かる不具合を解消できると共に、場の雰囲気を盛り上げることができると発想するに至った。
【発明の開示】
【発明が解決しようとする課題】
【０００７】
本発明は、以上の事情を背景として為されたものであり、その目的とするところは、場の雰囲気を盛り上げるための連続演奏機能を備えた音楽再生装置を提供することにある。
【課題を解決するための手段】
【０００８】
斯かる目的を達成するために、本発明の要旨とするところは、複数の演奏曲のうちから選択された所望の演奏曲を出力させる音楽再生装置であって、利用者に関する条件を受け付ける条件受付手段と、その条件受付手段により受け付けられた条件に基づいて前記複数の演奏曲のうちから所定数の演奏曲を抽出する演奏曲抽出手段と、その演奏曲抽出手段により抽出された演奏曲それぞれの一部区間を連続して演奏する連続演奏手段とを、備えたことを特徴とするものである。
【発明の効果】
【０００９】
このようにすれば、利用者に関する条件を受け付ける条件受付手段と、その条件受付手段により受け付けられた条件に基づいて前記複数の演奏曲のうちから所定数の演奏曲を抽出する演奏曲抽出手段と、その演奏曲抽出手段により抽出された演奏曲それぞれの一部区間を連続して演奏する連続演奏手段とを、備えていることから、利用者の嗜好に適う演奏曲それぞれの一部区間を連続演奏することができる。すなわち、場の雰囲気を盛り上げるための連続演奏機能を備えた音楽再生装置を提供することができる。
【００１０】
ここで、好適には、前記連続演奏手段は、前記演奏曲抽出手段により抽出された演奏曲それぞれの１番を連続して演奏するものである。このようにすれば、それぞれの演奏曲について利用者を飽きさず且つ演奏を楽しむことができる必要十分な区間を連続演奏することができるという利点がある。
【００１１】
また、好適には、前記条件は、利用者の年齢を含むものである。このようにすれば、簡単な条件により利用者の嗜好を汲み取ることができるという利点がある。
【００１２】
また、好適には、前記条件受付手段は、利用者の年齢に対応する複数の年代区分のうち何れかを選択させるものであり、前記演奏曲抽出手段は、その条件受付手段により選択された年代区分に基づいて前記複数の演奏曲のうちから所定数の演奏曲を抽出するものである。このようにすれば、利用者の年齢に基づいて嗜好を詳しく汲み取ることができるという利点がある。
【００１３】
また、好適には、前記条件は、演奏曲のジャンルを含むものである。このようにすれば、利用者の嗜好を大まかに汲み取ることができるという利点がある。
【００１４】
また、好適には、前記連続演奏手段は、選択された演奏曲の演奏をスキップするスキップ手段を含むものである。このようにすれば、利用者が歌えない曲や嗜好に適わない曲の演奏を忌避できるという利点がある。
【００１５】
また、好適には、前記連続演奏手段は、選択された演奏曲を演奏順に割り込ませる割込選曲手段を含むものである。このようにすれば、前記連続演奏手段による連続演奏中であっても、所望の演奏曲を選曲して演奏できるという利点がある。
【００１６】
また、好適には、前記連続演奏手段は、選択された演奏曲の全区間を演奏する全区間演奏手段を含むものである。このようにすれば、前記連続演奏手段による演奏曲それぞれの一部区間の連続演奏中であっても、利用者が特に希望する場合には、演奏曲をフルコーラスにできるという利点がある。
【００１７】
また、好適には、前記スキップ手段によりスキップされた演奏曲の情報を記憶するスキップ情報記憶手段を含むものである。このようにすれば、利用者が歌えなかったり、嗜好に適わないといった傾向のある曲の情報を取得できるという利点がある。
【００１８】
また、好適には、前記演奏曲抽出手段は、前記スキップ情報記憶手段により記憶された情報に基づいて前記複数の演奏曲のうちから所定数の演奏曲を抽出するものである。このようにすれば、利用者が歌えなかったり、嗜好に適わないといった傾向のある曲を連続演奏から除外できるという利点がある。
【実施例】
【００１９】
以下、本発明の好適な実施例を図面に基づいて詳細に説明する。
【００２０】
図１は、本発明の一実施例であるカラオケ装置１０の構成を示すブロック線図である。この図１に示すように、斯かるカラオケ装置１０は、ＣＲＴ等の映像表示装置１２と、背景映像再生用のディスクプレーヤ１４と、ビデオミキサ１６と、アンプミキサ１８と、スピーカ２０と、マイク２２と、入力装置である操作パネル２４と、中央演算処理装置であるＣＰＵ２６、ＲＯＭ２８、ＲＡＭ３０、記憶装置であるハードディスク３２、ターミナルアダプタ３４、ＣＲＴコントローラ３６、上記操作パネル２４からの入力信号を処理する入出力インターフェイス３８、及び音楽情報を変換して出力するためのシンセサイザ４０とを、備えて構成されている。
【００２１】
上記ＣＰＵ２６は、上記ＲＯＭ２８に記憶された所定のプログラムに基づいて電子情報を処理・制御する所謂コンピュータであり、上記カラオケ装置１０の利用者により所定のカラオケ演奏曲を選択する入力操作が行われた場合、上記ハードディスク３２からＲＡＭ３０へ選曲されたカラオケ演奏曲の演奏情報及び歌詞情報を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲情報に基づいて曲名文字映像を上記ＣＲＴコントローラ３６へ送ったり、上記ディスクプレーヤ１４の作動を制御する等の基本的な制御を実行する。また、後述する連続演奏制御を実行する。
【００２２】
前記操作パネル２４は、ユーザが歌いたいカラオケ演奏曲を選択したり、演奏音の音程を調整したり、演奏と歌との音量バランスを調整したり、カラオケ演奏に関する各種のモード設定を行ったり、カラオケ演奏を中途で停止したり、所望の演奏曲を演奏順に割り込ませる割り込み予約を行ったり、その他、エコー、音量、トーン等の各種調整を行うための操作釦（スイッチ）或いはツマミを備えている。また、前記カラオケ装置１０には、前記操作パネル２４の一部機能を遠隔で実行するために、この操作パネル２４と同様に入力装置として機能するリモコン４２が備えられている。
【００２３】
図２は、上記リモコン４２の操作部を説明する図である。この図に示すように、斯かるリモコン４２の操作部には、０から９までの１０個の数字釦４２ａ、選曲釦４２ｂ、左右上下の矢印釦４２ｃ、取消釦４２ｄ、割込釦４２ｅ、停止釦４２ｆ、及びモード設定釦４２ｇが設けられている。また、操作補助・確認のための表示部４２ｈが設けられている。上記数字釦４２ａは、選曲番号等を入力するための釦（スイッチ）であり、その数字釦４２ａが押されると、その数字が上記表示部４２ｈに表示され、上記選曲釦４２ｂが押されることによりその選曲番号等が出力されて確定する。上記矢印釦４２ｃは、前記映像表示装置１２に選択肢が表示された際、同様に表示されるカーソル等を左右上下に移動させるための釦であり、その矢印釦４２ｃが操作されると、カーソル移動信号が出力されて上記選曲釦４２ｂが押されることにより選択している項目が確定する。また、前記カラオケ装置１０によるカラオケ演奏中に左右の矢印釦４２ｃが操作されると、演奏音の音程を変更するための音程変更信号が出力される。上記割込釦４２ｅは、前記ＲＡＭ３０に記憶された演奏順（演奏待ちリスト）に所望の演奏曲を割り込ませる割込選曲操作を行うための釦であり、その割込釦４２ｅが押されると、例えば、その時点で演奏されている曲の次に演奏されるように所望の演奏曲を予約することができる。上記停止釦４２ｆは、カラオケ演奏を中途で停止するための釦であり、前記カラオケ装置１０による演奏中にこの停止釦４２ｆが押されると、その時点において演奏されているカラオケ演奏が停止される。上記モード設定釦４２ｇは、カラオケ演奏に関する各種のモード設定を実行するための釦であり、そのモード設定釦４２ｇが押されると、後述する連続演奏モードの設定をはじめとする各種モード設定画面が表示される。また、図１に示すように、これらの釦及び表示部に対応する構成が前記操作パネル２４にも設けられており、その操作パネル２４によっても同様の操作が可能とされている。
【００２４】
前記ディスクプレーヤ１４は、背景映像を記憶したＣＤやＤＶＤを備え、必要に応じてそれらを再生するものであり、前記ビデオミキサ１６は、前記ハードディスク３２から読み出された歌詞情報に基づいて前記ＣＰＵ２６において生成され且つ前記ＣＲＴコントローラ３６から出力される歌詞文字映像と、前記ディスクプレーヤ１４から送られるＮＴＳＣ映像とを合成して前記映像表示装置１２に表示させる映像合成装置である。なお、前記ディスクプレーヤー１４から送られるＮＴＳＣ映像とは、ユーザが歌詞を参照しながら歌を歌う際に前記映像表示装置１２に表示される背景映像である。
【００２５】
前記シンセサイザ４０は、例えば、前記ハードディスク３２から読み出されて送られて来る演奏曲の演奏情報であるＭＩＤＩ（Musical Instrument Digital Interface）データに基づき、楽器の演奏信号等の音楽信号（アナログ信号）を生成するＭＩＤＩ音源である。このシンセサイザ４０により生成された音楽信号は、前記アンプミキサ１８に送られ、そのアンプミキサ１８において送られてきた音楽信号と前記マイク２２を介して入力されるユーザの歌声信号とがミキシングされ、それらの信号が電気的に増幅される。そして、そのミキシングされた音が前記スピーカ２０から出力される。
【００２６】
前記ハードディスク３２には、カラオケ演奏曲毎に演奏情報及び歌詞情報等を格納する曲情報データベース４４が設けられている。図３は、斯かる曲情報データベース４４の内容を説明する図である。この図３に示すように、各カラオケ演奏曲毎にその演奏曲を識別するための選曲番号と、演奏曲のＣＤ、テープ、或いはレコードが発行された年月日（以下、ＣＤ発行日と称する）と、演奏曲のアーティスト（歌手）名と、そのアーティストの性別と、ＰＯＰＳ、演歌、アニメソング、童謡、民謡、外国語曲、軍歌等の演奏曲のジャンルと、演奏曲のログ順位すなわち統計によるカラオケ演奏（アクセス）回数の順位と、演奏情報及び歌詞情報とが記憶されている。この演奏情報は、ＭＩＤＩ形式等による圧縮データとして格納されており、カラオケ演奏に際して前記シンセサイザ４０へ供給される。歌詞情報は、所定の文字データ等として格納されており、カラオケ演奏に際してその文字データに基づき前記ＣＰＵ２６において歌詞文字映像が生成されて前記ＣＲＴコントローラ３６へ供給される。
【００２７】
前記ターミナルアダプタ３４は、前記ＣＰＵ２６を公衆電話回線、有線放送用ケーブル、又は光ファイバ等による通信回線４６に接続するための装置であり、複数のカラオケボックスにそれぞれ備えられた前記カラオケ装置１０は、この通信回線４６を介して例えばカラオケサービス提供会社のホスト装置である図示しないホストサーバに接続されている。そして、定期的に新曲の曲情報等がそのホストサーバから上記通信回線４６を介してダウンロードされ、前記ハードディスク３２の曲情報データベース４４等に格納されることで、前記カラオケ装置１０によって常に新しい曲が演奏可能とされる。
【００２８】
図４は、前記カラオケ装置１０に備えられたＣＰＵ２６の連続演奏制御（ひたすらＯｎｅコーラス）機能の要部を説明する機能ブロック線図である。この図４に示す条件受付手段５０は、連続演奏する演奏曲を絞り込むための指標として利用者に関する条件を受け付ける。具体的には、利用者に条件を入力させるための画面を前記映像表示装置１２に表示させ、その表示に従って入力された条件を前記ＲＡＭ等に記憶する。この条件受付手段５０は、好適には、ジャンル受付手段５２、性別受付手段５４、年齢受付手段５６、及び年代区分受付手段５８を含むものである。このジャンル受付手段５２は、ＰＯＰＳ、演歌、アニメソング、童謡、民謡、外国語曲、軍歌等の演奏曲のジャンルのうちから利用者の所望する何れかのジャンルを受け付ける。性別受付手段５４は、利用者の性別として男、女、及び男女混合のうち何れかを受け付ける。年齢受付手段５６は、利用者各人或いは代表者の年齢（誕生年）を受け付ける。年代区分受付手段５８は、利用者の年齢に対応する複数の年代区分のうち何れかを受け付ける。例えば、利用者の年齢が１５歳であった年から現在に至るまでの年代区分である「ノーマルモード」、利用者の年齢が１５歳であった年から２２歳であった年までの年代区分である「青春モード」、及び利用者の年齢とは関係なく２年前から現在に至るまでの年代区分である「最近モード」のうち何れかを選択させる。
【００２９】
演奏曲抽出手段６０は、上記条件受付手段５０により受け付けられた条件に基づいて前記曲情報データベース４４に記憶された複数の演奏曲のうちから連続演奏の対象となる所定数の演奏曲を抽出する。この演奏曲抽出手段６０は、好適には、ジャンル絞込手段６２、性別絞込手段６４、及び年代絞込手段６６を含むものである。このジャンル絞込手段６２は、上記ジャンル受付手段５２により受け付けられたジャンルに基づいて連続演奏の対象となる演奏曲を絞り込む。例えば、上記ジャンル受付手段５２により受け付けられたジャンルの演奏曲を前記曲データベース４４から抽出する。性別絞込手段６４は、上記性別受付手段５４により受け付けられた利用者の性別に基づいて連続演奏の対象となる演奏曲を絞り込む。例えば、上記性別受付手段５４により受け付けられた利用者の性別とアーティストの性別とが一致する演奏曲を上記ジャンル絞込手段６２により抽出された演奏曲のうちから更に抽出する。年代絞込手段６６は、上記年齢受付手段５６及び年代区分受付手段５８により受け付けられた利用者の年齢及び年代区分に基づいて連続演奏の対象となる演奏曲を絞り込む。例えば、ＣＤ発行年が上記年代区分受付手段５８により選択された年代区分に含まれる演奏曲を上記性別絞込手段６４により抽出された演奏曲のうちから更に抽出する。また、上記演奏曲抽出手段６０は、好適には、上記条件受付手段５０により受け付けられた条件に合致する演奏曲のうちログ順位の高いものから所定数の演奏曲を抽出する。或いは、条件に合致する演奏曲のうちログ順位の高いものが多く抽出されるように傾斜をかけてランダム抽出する。
【００３０】
連続演奏手段６８は、上記演奏曲抽出手段６０により抽出された所定数の演奏曲をランダムに並び替えた後、それら演奏曲それぞれの一部区間を連続して演奏する。図５は、各演奏曲においてその連続演奏手段６８により演奏される一部区間を説明する図である。この図５に示すように、前記曲情報データベース４４に記憶された各カラオケ演奏曲の演奏情報には、好適には、上記連続演奏手段６８により演奏される一部区間（Ｏｎｅコーラスに対応する演奏情報）の終了を示すＯｎｅコーラス終了フラグと、全区間の演奏終了を示す演奏情報終了フラグとが定められており、上記連続演奏手段６８は、上記演奏曲抽出手段６０により抽出された演奏曲それぞれの演奏開始からＯｎｅコーラス終了フラグに至るまでの区間を連続して演奏する。この連続演奏手段６８により演奏される区間は、好適には、演奏曲それぞれの１番に対応する区間である。上記連続演奏手段６８は、好適には、スキップ手段７０、割込選曲手段７２、全区間演奏手段７４、及び連続演奏停止手段７６を含むものである。このスキップ手段７０は、連続演奏中において選択された演奏曲の演奏をスキップする。例えば、連続演奏中に前記取消釦４２ｄが押されることにより、その時点で演奏されている曲の演奏をスキップする。割込選曲手段７２は、選択された演奏曲を連続演奏の対象として演奏順に割り込ませる。例えば、連続演奏中に前記割込釦４２ｅが押されることにより、その時点で演奏されている曲の次に演奏されるように割込選曲操作を受け付ける。全区間演奏手段７４は、連続演奏中において選択された演奏曲の全区間を演奏する。例えば、連続演奏中に前記数字釦４２ａの「０」が押されることにより、その時点で演奏されている曲の全区間すなわち通常のカラオケ演奏と同じ演奏終了までを演奏する。連続演奏停止手段７６は、連続演奏を停止して通常のカラオケ演奏に戻る。例えば、連続演奏中に前記停止釦４２ｆが押されることにより、連続演奏モードを解除して前記映像表示装置１２に通常のカラオケ設定画面を表示させる。
【００３１】
スキップ情報記憶手段７８は、上記スキップ手段７０によりスキップされた演奏曲の情報を記憶する。前記ハードディスク３２には、スキップされた演奏曲の情報を記憶するためのスキップ情報データベース８０が設けられている。上記スキップ情報記憶手段７８は、好適には、図６に示すように、前記ＲＡＭ３０等に連続演奏の対象となった曲それぞれに関してスキップの有無を記憶し、前記通信回線４６を介してその情報を図示しないホストサーバへ送る。そのホストサーバでは、多数の前記カラオケ装置１０から送られてくるスキップされた演奏曲の情報が統計的に管理され、その統計情報が前記通信回線４６を介して適宜前記カラオケ装置１０にダウンロードされて上記スキップ情報データベース８０に記憶される。前記演奏曲抽出手段６０は、好適には、このスキップ情報データベース８０に記憶された情報に基づいて前記複数の演奏曲のうちから所定数の演奏曲を抽出する。具体的には、スキップ回数の多い曲が少なくなるように傾斜をかけてランダム抽出する。
【００３２】
図７は、前記カラオケ装置１０のＣＰＵ２６による連続演奏制御をを説明するフローチャートであり、所定の周期で繰り返し実行されるものである。
【００３３】
先ず、ステップ（以下、ステップを省略する）ＳＡ１において、前記モード設定釦４２ｇ等により連続演奏（ひたすらＯｎｅコーラス）の開始操作が行われたか否かが判断される。このＳＡ１の判断が否定される場合には、それをもって本ルーチンが終了させられるが、ＳＡ１の判断が肯定される場合には、ＳＡ２において、前記映像表示装置１２に図１０に示すような操作説明画面が表示され、ひたすらＯｎｅコーラス（連続演奏）モードが開始された後、条件受付処理が実行される。図８は、この条件受付処理を説明するフローチャートである。先ず、ＳＢ１において、前記映像表示装置１２に図１１に示すような設定画面が表示される。次に、前記ジャンル受付手段５２に対応するＳＢ２において、「１．ＰＯＰＳ」、「２．演歌」、「３．洋楽」、「４．アニソン（アニメソング）」、及び「５．全て（全ジャンル）」のうち何れか所望のジャンルが受け付けられる。次に、前記性別受付手段５４に対応するＳＢ３において、「１．男」、「２．女」、及び「３．男女（混合）」のうち利用者の性別に対応する何れかが受け付けられる。次に、前記年齢受付手段５６に対応するＳＢ４において、代表者の年齢（誕生年）が受け付けられる。そして、前記年代区分受付手段５８に対応するＳＢ５において、「１．ノーマルモード」、「２．青春モード」、及び「３．最近モード」のうち何れかが受け付けられた後、条件受付サブルーチンが終了させられる。ＳＢ２乃至ＳＢ５にて受け付けられた条件は、前記ＲＡＭ３０に記憶される。以上の制御において、ＳＢ１乃至ＳＢ５が前記条件受付手段５０に対応する。
【００３４】
上記条件受付処理に続いて、ランダム選曲処理が実行される。図９は、このランダム選曲処理を説明するフローチャートである。先ず、ＳＣ１において、前記ハードディスク３２の曲情報データベース４４に記憶された全情報（演奏情報、歌詞情報、選曲番号、ＣＤ発行日、アーティスト、性別、ジャンル、及びログ順位等）にアクセスされる。次に、上記ＳＢ２乃至ＳＢ５において受け付けられた条件が前記ＲＡＭ３０から読み出される。次に、前記ジャンル絞込手段６２に対応するＳＣ３において、ＳＢ２にて受け付けられたジャンルの演奏曲が前記曲データベース４４から抽出される。次に、前記性別絞込手段６４に対応するＳＣ４において、ＳＢ３にて受け付けられた利用者の性別とアーティストの性別とが一致する演奏曲がＳＣ３にて抽出された演奏曲のうちから更に抽出される。次に、前記年代絞込手段６６に対応するＳＣ５において、ＣＤ発行日がＳＢ５にて選択された年代区分に含まれる演奏曲がＳＣ４にて抽出された演奏曲のうちから更に抽出される。次に、ＳＣ６において、ＳＣ３乃至ＳＣ５にて絞り込まれた演奏曲のうちログ順位の高いものから所定数の演奏曲が取り出される。そして、ＳＣ７において、ＳＣ６にて取り出された所定数の演奏曲がランダムに並び替えられ、演奏待ちリストが作成された後、ランダム選曲処理サブルーチンが終了させられる。以上の制御において、ＳＣ１乃至ＳＣ６が前記演奏曲抽出手段６０に対応する。
【００３５】
上記ランダム選曲処理に続いて、図７に示すＳＡ３において、ＳＣ７にて作成された演奏待ちリストから次の演奏曲が取り出される。次に、ＳＡ４において、前記映像表示装置１２に演奏曲のタイトル画面が表示された後、ＳＡ５において、ＳＡ３にて取り出された演奏曲の演奏（Ｏｎｅコーラス演奏）が開始される。図１２は、このＯｎｅコーラス演奏時に前記映像表示装置１２に表示される演奏画面であり、その時点で演奏されている演奏曲の歌詞文字映像（歌詞テロップ）が表示されると共に、演奏待ちリストにおける次の演奏曲の曲名とアーティスト名が表示される。また、図１３は、Ｏｎｅコーラス演奏の終了直前（例えば、十秒前）に前記映像表示装置１２に表示される演奏画面であり、その時点で演奏されている演奏曲の歌詞文字映像が表示されると共に、ＳＢ２にて受け付けられたジャンル、ＳＢ３にて受け付けられた性別、ＳＢ５にて受け付けられた年代モード、次曲・次々曲の曲名、アーティスト名、及びＣＤ発行年が表示される。
【００３６】
次に、前記スキップ手段７０に対応するＳＡ６において、スキップ操作が行われたか否か、すなわち前記取消釦４２ｄが押されたか否かが判断される。このＳＡ６の判断が肯定される場合には、その時点において演奏されている曲がスキップされ、前記スキップ情報記憶手段７８に対応するＳＡ１４において、スキップされた演奏曲にスキップフラグが付けられて前記ＲＡＭ３０に記憶された後、本ルーチンが終了させられるが、ＳＡ６の判断が否定される場合には、ＳＡ７において、割込選曲操作が行われたか否か、すなわち前記割込釦４２ｅが押されたか否かが判断される。このＳＡ７の判断が否定される場合には、ＳＡ８において、全区間演奏（フルコーラス）操作が行われたか否か、すなわち前記数字釦４２ａの「０」が押されたか否かが判断されるが、ＳＡ７の判断が肯定される場合には、ＳＡ１５において、割込選曲される演奏曲の選曲番号が受け付けられ、ＳＡ１６において、演奏待ちリストの次の順番にＳＡ１５にて受け付けられた演奏曲が入れられた後、ＳＡ８の判断が行われる。このＳＡ８の判断が否定される場合には、ＳＡ９において、連続演奏の停止操作が行われたか否か、すなわち前記停止釦４２ｆが押されたか否かが判断されるが、ＳＡ８の判断が肯定される場合には、ＳＡ１７において、フルコーラス設定がオンとされた後、ＳＡ９の判断が行われる。このＳＡ９の判断が肯定される場合には、ＳＡ１８において、連続演奏モードが停止させられて、前記映像表示装置１２に通常のカラオケ設定画面が表示された後、本ルーチンが終了させられるが、ＳＡ９の判断が否定される場合には、ＳＡ１０において、Ｏｎｅコーラス終了フラグがあるか否かが判断される。このＳＡ１０の判断が否定される場合には、ＳＡ６以下の処理が再び実行されるが、ＳＡ１０の判断が肯定される場合には、ＳＡ１１において、フルコーラス設定がオンであるか否かが判断される。このＳＡ１１の判断が否定される場合には、ＳＡ１９において、Ｏｎｅコーラス演奏が終了させられた後、ＳＡ３以下の処理が再び実行されるが、ＳＡ１１の判断が肯定される場合には、ＳＡ１２において、演奏情報終了フラグ検出までの残りの部分を含めた全区間（フルコーラス）演奏が行われ、ＳＡ１３において、演奏が終了させられ、フルコーラス設定がオフにされた後、ＳＡ３以下の処理が再び実行される。以上の制御において、ＳＡ７、ＳＡ１５、及びＳＡ１６が前記割込選曲手段７２に、ＳＡ８及びＳＡ１２が前記全区間演奏手段７４に、ＳＡ９及びＳＡ１８が前記連続演奏停止手段７４に、前記ＳＡ５乃至ＳＡ１３、ＳＡ１５乃至ＳＡ１９が前記連続演奏手段６８にそれぞれ対応する。
【００３７】
このように、本実施例によれば、利用者に関する条件を受け付ける条件受付手段５０（ＳＢ１乃至ＳＢ５）と、その条件受付手段５０により受け付けられた条件に基づいて前記複数の演奏曲のうちから所定数の演奏曲を抽出する演奏曲抽出手段６０（ＳＣ１乃至ＳＣ６）と、その演奏曲抽出手段６０により抽出された演奏曲それぞれの一部区間を連続して演奏する連続演奏手段６８（ＳＡ５乃至ＳＡ１３、ＳＡ１５乃至ＳＡ１９）とを、備えていることから、利用者の嗜好に適う演奏曲それぞれの一部区間を連続演奏することができる。すなわち、場の雰囲気を盛り上げるための連続演奏機能を備えたカラオケ装置１０を提供することができる。
【００３８】
また、前記連続演奏手段６８は、前記演奏曲抽出手段６０により抽出された演奏曲それぞれの１番を連続して演奏するものであるため、それぞれの演奏曲について利用者を飽きさず且つ演奏を楽しむことができる必要十分な区間を連続演奏することができるという利点がある。
【００３９】
また、前記条件は、利用者の年齢を含むものであるため、簡単な条件により利用者の嗜好を汲み取ることができるという利点がある。
【００４０】
また、前記条件受付手段５０は、利用者の年齢に対応する複数の年代区分のうち何れかを選択させるものであり、前記演奏曲抽出手段６０は、その条件受付手段５０により選択された年代区分に基づいて前記複数の演奏曲のうちから所定数の演奏曲を抽出するものであるため、利用者の年齢に基づいて嗜好を詳しく汲み取ることができるという利点がある。
【００４１】
また、前記条件は、演奏曲のジャンルを含むものであるため、利用者の嗜好を大まかに汲み取ることができるという利点がある。
【００４２】
また、前記連続演奏手段６８は、選択された演奏曲の演奏をスキップするスキップ手段７０（ＳＡ１４）を含むものであるため、利用者が歌えない曲や嗜好に適わない曲の演奏を忌避できるという利点がある。
【００４３】
また、前記連続演奏手段６８は、選択された演奏曲を演奏順に割り込ませる割込選曲手段７２（ＳＡ７、ＳＡ１５、及びＳＡ１６）を含むものであるため、前記連続演奏手段６８による連続演奏中であっても、所望の演奏曲を選曲して演奏できるという利点がある。
【００４４】
また、前記連続演奏手段６８は、選択された演奏曲の全区間を演奏する全区間演奏手段７４（ＳＡ８及びＳＡ１２）を含むものであるため、前記連続演奏手段６８による演奏曲それぞれの一部区間の連続演奏中であっても、利用者が特に希望する場合には、演奏曲をフルコーラスにできるという利点がある。
【００４５】
また、前記スキップ手段７０によりスキップされた演奏曲の情報を記憶するスキップ情報記憶手段７８（ＳＡ１４）を含むものであるため、利用者が歌えなかったり、嗜好に適わないといった傾向のある曲の情報を取得できるという利点がある。
【００４６】
また、前記演奏曲抽出手段６０は、前記スキップ情報記憶手段７８により記憶された情報に基づいて前記複数の演奏曲のうちから所定数の演奏曲を抽出するものであるため、利用者が歌えなかったり、嗜好に適わないといった傾向のある曲を連続演奏から除外できるという利点がある。
【００４７】
以上、本発明の好適な実施例を図面に基づいて詳細に説明したが、本発明はこれに限定されるものではなく、更に別の態様においても実施される。
【００４８】
例えば、前述の実施例において、前記条件受付手段５０は、前記条件として演奏曲のジャンル、利用者の性別、年齢、及びその年齢に対応する年代区分を受け付けるものであり、前記演奏曲抽出手段６０は、それらの条件に基づいて所定数の演奏曲を抽出するものであったが、前記条件はこれらに限られるものではなく、例えば、利用者の人数、利用者たちの関係（友人同士、恋人同士、知り合ったばかり等）、所望される場の雰囲気（盛り上がりたい、笑いたい、しんみり歌いたい等）、及び所望される演奏曲の知名度（ログ順位の高いメジャーな曲、ログ順位の低いマイナーな曲）等が考えられる。すなわち、前記演奏曲抽出手段６０は、必ずしもログ順位の高いものから優先的に演奏曲を抽出するものではなく、条件によってはログ順位の低いものから優先的に演奏曲を抽出する場合もある。
【００４９】
また、前述の実施例において、前記条件受付手段５０は、前記年齢受付手段５６により利用者の年齢を受け付け、前記年代区分受付手段５８によりその年齢に対応する年代区分を選択させるものであったが、例えば、「７０年代の曲」、「８０年代の曲」、「９０年代の曲」、及び「最近の曲」のうち何れかを選択させる等のように、前記条件として所望される演奏曲のＣＤ発行年乃至は年代区分を直接的に受け付けるものであっても構わない。
【００５０】
また、前述の実施例において、前記演奏曲抽出手段６０は、連続演奏の対象となる十分な数の演奏曲を一挙に抽出するものであったが、例えば、５曲乃至十曲といった比較的少数の演奏曲を必要に応じて数度にわたり抽出するものであっても構わない。このようにすれば、前記ＣＰＵ２６等の負荷を軽減することができるという利点がある。
【００５１】
また、前述の実施例において、前記スキップ手段７０、割込選曲手段７２、及び全区間演奏手段７４は、前記リモコン４２等の操作により連続演奏中に演奏曲のスキップ、割込選曲、及びフルコーラス設定を行うものであったが、例えば、連続演奏開始に際して連続演奏の対象曲であるタイトル一覧（演奏待ちリスト）画面を前記映像表示装置１２に表示させ、その時点で演奏曲のスキップ、割込選曲、及びフルコーラス設定を行うことができるようにしても構わない。
【００５２】
その他、一々例示はしないが、本発明はその趣旨を逸脱しない範囲内において、種々の変更が加えられて実施されるものである。
【図面の簡単な説明】
【００５３】
【図１】本発明の一実施例であるカラオケ装置の構成を示すブロック線図である。
【図２】図１のカラオケ装置に備えられたリモコンの操作部を説明する図である。
【図３】図１のハードディスクに設けられた曲情報データベースの内容を説明する図である。
【図４】図１のＣＰＵの連続演奏制御機能の要部を説明する機能ブロック線図である。
【図５】図４の連続演奏手段により演奏される各演奏曲における一部区間を説明する図である。
【図６】図４のスキップ情報記憶手段により記憶されるスキップ情報の一例を説明する図である。
【図７】図４のＣＰＵによる連続演奏制御をを説明するフローチャートである。
【図８】図７における条件受付処理を説明するフローチャートである。
【図９】図７におけるランダム選曲処理を説明するフローチャートである。
【図１０】連続演奏の開始に際して図１の映像表示装置に表示される操作説明画面を例示する図である。
【図１１】条件を受け付けるために図１の映像表示装置に表示される設定画面を例示する図である。
【図１２】連続演奏に際して図１の映像表示装置に表示される演奏画面を例示する図である。
【図１３】連続演奏の終了に際して図１の映像表示装置に表示される演奏画面を例示する図である。
【符号の説明】
【００５４】
１０：カラオケ装置（音楽再生装置）
５０：条件受付手段
６０：演奏曲抽出手段
６８：連続演奏手段
７０：スキップ手段
７２：割込選曲手段
７４：全区間演奏手段
【図１】
2005084336.tif 000003
【図２】
2005084336.tif 000004
【図３】
2005084336.tif 000005
【図４】
2005084336.tif 000006
【図５】
2005084336.tif 000007
【図６】
2005084336.tif 000008
【図７】
2005084336.tif 000009
【図８】
2005084336.tif 000010
【図９】
2005084336.tif 000011
【図１０】
2005084336.tif 000012
【図１１】
2005084336.tif 000013
【図１２】
2005084336.tif 000014
【図１３】
2005084336.tif 000015